(57)【要約】      （修正有）【課題】ゴルフクラブを挿入してスイングすることで生じる空気抵抗に対し、プレーヤー自らのスイング力で力の配分と正確さを身に付け、併せてスイングに必要な筋力を高めスイングスピードの向上を図れる安価で簡易なゴルフスイング練習具を提供する。【解決手段】ゴルフクラブ挿入袋の形態を成し、入口部分には紐が付けられ、入口部分からヘッド部分１はクラブヘッドが挿入可能な広さに作られ、シャフト部分２はヘッド部分からグリップ部分３に掛けて徐々に細くなり、グリップ部分はゴルフクラブのグリップが丁度挿入できる細さに絞られたゴルフクラブ挿入型のゴルフスイング練習具である。【選択図】図６
0003207329.tif 000002
【実用新案登録請求の範囲】
【請求項１】
本考案はヘッド部分（符号１）とシャフト部分（符号２）とグリップ部分（符号３）に三分割された繊維等で形成されたゴルフクラブ挿入型の袋で出来ており、入口（符号４）部分には紐（符号５）が付けられ、入口部分からヘッド部分はクラブヘッドが挿入可能な広さに作られ、シャフト部分はヘッド部分からグリップ部分にかけて徐々に細くなり、グリップ部分はゴルフクラブのグリップが丁度挿入できる細さに絞られた形態をなすゴルフクラブ挿入型のゴルフスイング練習具。
【請求項２】
上記の三分割された部分は、ヘッド部分はゴルフスイング中にダフっても破損し難い丈夫な素材を使い、シャフト部分はゴルフスイング中に空気抵抗が受けやすくハタハタとはためく程度の薄手の素材が使われ、グリップ部分は滑り難い素材が使われているゴルフスイング練習具
【考案の詳細な説明】
【技術分野】
【０００１】本考案は、スイング時に生じるシャフト部分（符号２）の空気抵抗に対し、プレーヤー自らのスイング力によってヘッドスピードと正確さを高めると共にスイングに必要な筋力を付けることを目的としたゴルフスイング練習具である。
【背景技術】
【０００２】１、従来のゴルフスイング練習具はヘッドの重さやシャフトの撓りによって遠心力を誘発することでスイングを是正しようとしているものが多い。
２、従来のゴルフスイング練習具は棒状のものやゴルフクラブの形はしているが、プレーヤー自身のクラブとは異質のものである。
【考案の開示】
【考案が解決しようとする課題】
【０００３】しかし、これでは、プレーヤー自らのスイング力と筋力を高めることは難しい。
【課題を解決するための手段】
【０００４】そこで、本考案はゴルフクラブ挿入袋型で、その中にゴルフクラブを挿入してスイングすることで、シャフト部分（符号２）の空気抵抗によりスイングが抑制されるが、これをプレーヤー自らのスイング力によってインパクト時の力の配分と正確さを体感し会得すると共にスイングに必要な筋力を高めことを目的として考案されたものである。
【考案の効果】
【０００５】１、本考案の使用によってスイング力と正確さを高めるだけではなく、スイングに必要な筋力を高めることもできる。
２、本考案は自分のクラブを使用できるので、より実感のあるスイングが期待できる。
３、挿入するクラブは、ウッド用ならドライバーから５〜６番ウッド、アイアン用ならユーティリティからミドルアイアンそしてショートアイアンまで長さに拘らず挿入できるので、苦手クラブの克服にもなる。
４、本考案は小さく折り畳めるのでゴルフバッグのポケット等に入れておき必要に応じ使うこともできる。
【考案の詳細な説明】
【０００６】本考案はヘッド部分（符号１）に丈夫な素材、シャフト部分（符号２）に空気抵抗が受けやすくハタハタとはためく程度の薄目の素材、グリップ部分（符号３）には滑り難い素材が使われたゴルフクラブ挿入袋型のゴルフスイング練習具である。
本考案にゴルフクラブを挿入して入口（符号４）部分をクラブヘッドのネックに巻き付け紐（符号５）でキッチリ縛り固定してゴルフスイングの練習に使用する。
他の多くのゴルフスイング練習具はヘッドの重さやシャフトの撓りによる遠心力を誘発することでスイングを是正しようとしているが、本考案の練習具はトップからダウンスイング、インパクトそしてホロースルーに至るまで、シャフト部分（符号２）の空気抵抗によってスイングが抑制されるが、プレーヤー自らが力を発揮してスイングすることでダウンスイングからインパクトにかけての力の配分を体感し、ホロースルーに至ってもプレーヤーはスイング力を持続しなければならず、この一連の動作によってスイングが是正されるので、インパクト時のスイングの力感と正確さを体感し会得することができる。
又、本考案を日々数分程度振ることで空気抵抗に耐えて手首や腕などのゴルフスイングに必要な身体の筋肉が鍛えられ、延いてはスイングスピードやショットの正確さを習得することができ飛距離アップにもつながるゴルフスイング練習具である。
【図面の簡単な説明】
【０００７】
【図１】正面図
【図２】裏面図
【図３】展開図
【図４】斜視図
【図５】ゴルフクラブ挿入状態を示す正面図
【図６】ゴルフクラブを本考案に挿入した実施例を示す外観図
【図７】斜視図（アイアン用」
【図８】アイアンのゴルフクラブ挿入状態を示す正面図
【図９】アイアンのゴルフクラブ
【図１０】アイアンゴルフクラブを本考案に挿入した実施例を示す外観図
【符合の説明】
【０００８】１  ヘッド部分
２  シャフト部分
３  グリップ部分
４  入口
５  紐
【図１】
0003207329.tif 000003
【図２】
0003207329.tif 000004
【図３】
0003207329.tif 000005
【図４】
0003207329.tif 000006
【図５】
0003207329.tif 000007
【図６】
0003207329.tif 000008
【図７】
0003207329.tif 000009
【図８】
0003207329.tif 000010
【図９】
0003207329.tif 000011
【図１０】
0003207329.tif 000012
【手続補正書】
【提出日】平成28年7月6日(2016.7.6)
【手続補正１】
【補正対象書類名】実用新案登録請求の範囲
【補正対象項目名】請求項１
【補正方法】変更
【補正の内容】
【請求項１】
ゴルフクラブ挿入袋でできており、ヘッド部分（１）にはスイング中にダフっても破れ難い丈夫な素材、シャフト部分（２）はスイング中に空気抵抗でハタハタとはためく薄手の素材、グリップ（３）は滑りにくい素材が使われ、入口（４）部分には紐（５）が付けられ、ヘッド部分はクラブヘッドが挿入可能な広さに作られており、シャフト部分はヘッド部分からグリップ部分にかけて徐々に細くなり、グリップ部分はグリップが丁度挿入できる広さに作られたゴルフクラブ挿入型のゴルフスイング練習具
【手続補正２】
【補正対象書類名】実用新案登録請求の範囲
【補正対象項目名】請求項２
【補正方法】削除
【補正の内容】
【手続補正書】
【提出日】平成28年8月31日(2016.8.31)
【手続補正３】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
ゴルフクラブ挿入袋でできており、ヘッド部分（１）にはスイング中にダフっても破れ難い丈夫な素材、シャフト部分（２）はスイング中に空気抵抗でハタハタとはためく薄手の素材、グリップ（３）は滑りにくい素材が使われ、入口（４）部分には紐（５）が付けられ、ヘッド部分はクラブヘッドが挿入可能な広さに作られており、シャフト部分はヘッド部分からグリップ部分にかけて徐々に細くなり、グリップ部分はグリップが丁度挿入できる広さに作られたゴルフクラブ挿入型のゴルフスイング練習具
【手続補正４】
【補正対象書類名】手続補正書
【補正対象項目名】手続補正２
【補正方法】削除
【補正の内容】